(57)【特許請求の範囲】
【請求項１】
身体との接触部分に張り部材を取り付けて構成した椅子において、
当該張り部材の裏側に、張り部材とともに荷重作用方向に撓み可能な片持ちの弾性部材を対向させて複数設け、当該対向する弾性部材の自由端を重ねて位置させるとともに、これら弾性部材同士の幅方向の位置ずれを禁止する規制手段を設けたことを特徴とする椅子。
【請求項２】
規制手段が、対向する弾性部材の一方の自由端側に設けた長孔と、他方の自由端側に設けた当該長孔内で摺り動く突起部とを具備してなることを特徴とする請求項１記載の椅子。
【請求項３】
前記突起部が前記長孔に沿う長手状の突起部であることを特徴とする請求項２記載の椅子。
【請求項４】
前記長孔を前記弾性部材の重なり合い部分の身体接触面側と異なる側に設けたことを特徴とする請求項２記載の椅子。
【発明の詳細な説明】
【０００１】
【発明の属する技術分野】
本発明は、椅子の構造に関し、より詳しくは、座り心地をよくするようにした椅子の構造に関するものである。
【０００２】
【従来の技術】
現在、オフィスなどで使用される椅子として、背もたれ部や着座部分に布地を設けるようにしたものが存在している。このような椅子は、背もたれ部や着座部分の外縁部に金属製のフレームを設け、このフレームに直接布地を取り付けて構成し、これによって身体接触面を大きく確保するとともに身体接触面における通気性を確保するようにしたものである。
【０００３】
【発明が解決しようとする課題】
ところで、このようにフレームに直接布地を取り付ける場合、布地の張力によって座り心地が左右されることになる。従って、背もたれ部や着座部分の布地に強度を持たせようとして硬い布を使用した場合、背もたれ方向に対する弾性力が低下するため座り心地が悪くなるという問題を有していた。そこで、かかる不具合を解決するために、布地の裏面に着座によって撓みを許容するように一端を固定した片持ちの弾性片を取り付け、この弾性部材の弾性力によってクッション性を向上させるようにすることも考えられる。
【０００４】
しかし、このように片持ちに構成した弾性部材を、布地の裏側に取り付けるという構造であると、背もたれた場合に張り部材が後方へ撓むと、その裏に取り付けた弾性部材の自由端部分が布地の裏側を局所的に押し上げてしまい、滑らかな身体接触面を形成できなくなるという問題を有している。
【０００５】
そこで、本発明は、張り部材の裏側に弾性部材を設けてクッション性を向上させるようにした椅子において、張り部材の形状変化を滑らかにすることを目的とするものである。
【０００６】
【課題を解決するための手段】
すなわち本発明は、身体との接触部分に張り部材を取り付けて構成した椅子において、張り部材の裏側に、張り部材とともに荷重作用方向に撓むように片持ちの弾性部材を対向させて複数設け、これらの対向する弾性部材の自由端を重ねて位置させるとともに、これら弾性部材同士の幅方向の位置ずれを禁止する規制手段を設けたものである。このように構成すれば、片自由端側を重ねて連続的に張り部材をバックアップして滑らかにすることができるとともに、この張り部材の滑らかな面を崩さないために自由端同士の重なりを外れないようにすることができるようになる。
【０００７】
【発明の実施の形態】
以下に本発明の一実施の形態を図を参照して説明する。図１、２は、本実施の形態における椅子の側面図、正面図を示したものであり、図３は、要部の背面図を示した図である。
【０００８】
この椅子１は、ベース脚２に背もたれ部５及び座部６を支持させてなるもので、執務等に適した使用姿勢をとることができるのみならず、安息やリフレッシュに適した姿勢等を適宜選択的にとることをも可能にするために、ベース脚２に、あるいはベース脚２と背もたれ部５、座部６等との間に、背座の高さ調整を行う昇降機構Ｐ、背もたれ部５及び座部を連動させてロッキングさせるロッキング機構Ｑ、ストレッチ等のために背もたれ部５の上方部分のみを後傾させる背もたれ上部傾動機構Ｒ、腰骨を選択的に押圧するため等に利用される背もたれ下部傾動機構Ｓ、並びに、座部６を前後移動させる図示しない座前後調整機構を設けている。
【０００９】
具体的に説明すると、ベース脚２は、脚羽根２０の中心から上方に向けて回転軸２１を突出させたもので、その上に支持される座部６及び背もたれ部５を回転軸２１周りに旋回動作させ得るようにしている。昇降機構Ｐは、前記ベース脚２の回転軸２１にガススプリング２２を組み込み、このガススプリング２２を適宜作動させることによって背座を作動範囲の任意の昇降位置にロックできるようにしているものである。
【００１０】
背もたれ部５は、図３に示すように背もたれ下部フレーム５０と、背もたれ上部フレーム５５と、これら両フレーム５０、５５の間に後述する弾性部材１０ａ、１０ｂを介して架け渡した張り部材８とを具備してなるもので、両フレーム５０、５５は、ともにリンク要素７ｂのブラケット７ｂ１に設けられた回転軸７２に回転可能に取り付けられている。なお、張り部材８を、袋状に構成してその中に弾性部材１０ａ、１０ｂを設けるようにしている。また、背もたれ下部フレーム５０は、リンク要素７ｂの内側位置で回転軸７２に取り付けた支持部５０ａと、この支持部５０ａから上方に向けて設けた腰骨対応部５０ｂと、左右に設けた腰骨対応部５０ｂを連結して補強する連結部材５０ｃとを具備するもので、この腰骨対応部５０ｂの先端部分に後方へ向けて円弧状に湾曲させ、この円弧状の湾曲部５０ｃ１上に弾性部材１０ａの撓み部１０ｃとともに張り部材８を沿わせて滑らかに撓むようにしている。また、背もたれ上部フレーム５５は、回転軸７２に取り付けて後方へ伸びる支持部５５ａと、この支持部５５ａから上方に向けて設けた背仕桿５５ｂと、この背仕桿５５ｂ左右を水平方向に連結して補強する連結部材５５ｃ、５５ｄとから構成しているものである。背仕桿５５ｂを着座者の肩近傍で後方側かつ内側に向けて円弧状に湾曲させて、弾性部材１０ｂの撓み部１０ｄととも張り部材８を撓ませるための退避空間を設けるようにしている。
【００１１】
座部６は、着座者の大腿部に対応する窪みを有するクッション体６０と、そのクッション体６０の下方を支持するシェル６１とを備えている
一方、ロッキング機構Ｑは、ベース脚２に取り付けた支基３と、座部６を支持する座受４と、これら支基３と座受４との間を連結するリンク要素７ａ、７ｂとからなる不等辺の四辺リンク機構を主体とし、これに背もたれ部５を適宜位置に固定するガススプリング３１を付帯させて構成されている。
【００１２】
支基３は、アルミダイキャスト等の剛性部材により構成されたＶ字状をなすもので、その基端を前記回転軸２１に固定し、先端を斜め上方に突出させている。この支基３の斜辺中央部の下面には、図示しない回転軸を通じてねじり方向の弾性力の蓄積、放出が可能なトーションバー７０が設けてある。
【００１３】
リンク要素７ａは、一端を支基３の前方に回転軸３０を介して回転可能に取り付け、他端を座受４の前方裏面に回転軸４５を介して回転可能に取り付けた板状のもので、少なくとも回転軸４５は、座受４に設けた図示しない軸受に対して着脱可能とされている。
【００１４】
リンク要素７ｂは、一端を支基３の斜辺中央部に設けた前記トーションバー７０の回転軸に固定し、他端を座受４の後端側に設けた回転軸７９に回転可能に連結したもので、通常、このリンク要素７ｂには上述した背もたれ下部フレーム５０及び背もたれ上部フレーム５５が回転軸７２回りの回転機能を停止させられた状態で一体的に固定れ、リンク要素７ｂと共にトーションバー７０の回転軸回りに回転し得るものである。
【００１５】
ガススプリング３１は、リンク要素７ａと支基３との間に設けられたもので、選択的にリンク要素７ａを固定することによって、四辺リンク機構全体をロックするようにしている。
【００１６】
また、背もたれ上部傾動機構Ｒは、前記背もたれ上部フレーム５５の回転軸７２回りの回転を許容されることによって機能するもので、具体的にはロック機構ｒと、バネ部材７３とから構成されている。
【００１７】
ロック機構ｒは、図４に示すように、リンク要素７ｂの上方に設けた孔部７７と、背もたれ上部フレーム５５に取り付けた側面視略ひし形のブラケット５５０に設けた孔部５５１と、通常はこれら両孔部７７に跨る位置に配置され選択的に前記孔部５５１から引き抜くことによって背もたれ上部フレーム５５とリンク要素７ｂとの拘束を解除するピン７６とから構成されるものである。背もたれ上部フレーム５０の下端部内側に位置するブラケット５５０の内側にリンク７ｂと一体をなすように設けた同形状のブラケット７ｂ１とを重ね合わせて、孔部５５１の内側に孔部７７を位置させて、ピン７６を挿入するようにしている。しかして、ピン７６が両孔部７７、５５１に挿入されている状態においてはリンク要素７をｂと背もたれ上部フレーム５５とを拘束して一体的に動かし、また、このピン７６を孔部５５１から引き抜くことによって、上記の拘束を解除して背もたれ上部フレーム５５のみを回転軸７２を中心として独自に回転させるようにしている。
【００１８】
バネ部材７３は、背もたれ上部フレーム５５に傾動時に弾性を付与するためのもので、背もたれ上部フレーム５５を起立方向に押圧している。
【００１９】
さらに、背もたれ下部傾動機構Ｓは、前記背もたれ下部フレーム５０を利用したもので、この背もたれ下部フレーム５０を回転軸７２を支点にして前方に押し付け得る位置に図示しないガススプリングを設けている。
【００２０】
次に、このように構成した椅子１の基本動作について図５、６を用いて説明する。
＜昇降動作＞
レバー４３ａの非操作時には、ガススプリング２２がロックされ、背座はある昇降位置に固定される。この位置からレバー４３ａを操作すると、ガススプリング３１のロックが解除されるため、背座はガススプリング３１の伸縮動作を伴って所定範囲で昇降動作させることができる。
＜ロッキング動作＞
全てのレバー４３ａ〜４３ｃ、６７を水平にしている状態（初期状態）では、座部６の下方に設けたガススプリング３１がフリーの状態になるとともに、背もたれ下部フレーム５０に連結したガススプリングが固定状態になる。このとき、背もたれ上部フレーム５５に設けた孔部５５１にピン７６が挿入され、リンク要素７ｂと背もたれ上部フレーム５５は一体としてトーションバー７０の回転軸を中心に後傾可能となる。そして、この背もたれ上部フレーム５５の後傾に伴って四辺リンク機構が変形し、かつ座部６も後方下向きに傾斜しながら、ロッキング動作を行う。
【００２１】
一方、所定の後傾角度にした状態でレバー４３ｃを元の下方に倒した場合、座部６の下方に設けたガススプリング３１が固定されるとともに、背もたれ下部フレーム５０の下方に設けたガススプリングの固定状態を維持して、後傾角度をその状態に維持する。
＜背もたれ上部のみの傾動動作＞
初期状態から水平状態のレバー４３ｃを倒すことにより、座部６の下方に設けたガススプリング３１がロックされて四辺リンク機構の動きが固定され、また、背もたれ下部フレーム５０に連結したガススプリングも固定状態が維持される。
そして、背もたれ上部フレーム５５に設けた孔部５５０からピン７６を抜き、これによって座部６および背もたれ下部フレーム５０を固定した状態で背もたれ上部フレーム５５を弾力的に後傾させられるようにする。
＜背もたれ下部のみの傾動動作＞
背もたれ下部フレーム５０のみを後方に位置させる場合、これに対応したレバー４３ｂを操作することにより、背もたれ下部フレーム５０に連結されているガススプリングの固定状態を解除し、これによって背もたれ下部フレーム５０の回転を許容する。そして、所定の位置でレバー４３ｂを元の状態に戻すことによりガススプリングを固定して背もたれ下部フレーム５０をその状態に固定する。
【００２２】
以上のような構成に加えて、本実施形態は、背もたれ部５のクッション性を向上するために張り部材８における身体接触面の裏面上下に片持ちの弾性部材１０ａ、１０ｂを取り付け、さらにそのバックアップ機能を適正なものにするために、弾性部材１０ａ、１０ｂの自由端側を互いに重さね合わせ、かつその重さね合わせ部分に弾性部材１０ａ、１０ｂ同士の幅方向の位置ずれを禁止する規制手段１０ｇを設けている。
【００２３】
以下にこの弾性部材１０ａ、１０ｂについて図を用いて詳述する。図７は、弾性部材１０ａ、１０ｂにおける要部の概観斜視図を示したものであり、図８は、図７に示した弾性部材１０ａ、１０ｂを重ね合わた場合のＡ−Ａ断面図を示したもので、図９は、弾性部材１０ａ、１０ｂに荷重が加えられた場合の要部断面図を示したものである。
【００２４】
弾性部材１０ａ、１０ｂは、薄板状の固定部１０ｃ、１０ｄ（図３）と、この固定部１０ｃ、１０ｄの側端部から一体的に略垂直方向に設けた薄板状の撓み部１０ｅ、１０ｆとからなり全体を平面視略コの字形状（もしくは略Ｕ字形状）に樹脂によって形成したものである。この弾性部材１０ａの固定部１０ｃおよび弾性部材１０ｂの固定部１０ｄを、それぞれ背もたれ下部フレーム５０の連結部材５０ｃおよび背もたれ上部フレーム５５の連結部材５５ｃに沿わせるように、張り部材８と一体的に、図示しないピンで取り付けて、撓み部１０ｅの自由端部分１０ｅ１の前方に、撓み部１０ｆの自由端部分１０ｆ１をオーバーラップさせるように位置させたものである。なお、この弾性部材１０ａ、１０ｂは、撓み部１０ｅ、１０ｆの戻り反力によって、その上に設けた張り部材８にクッション性を与え得るような素材および厚みに構成している。
【００２５】
この撓み部１０ｅの自由端１０ｅ１側と、撓み部１０ｆの自由端１０ｆ１側との重なり合い部分に設けられた幅方向への移動を規制する規制手段１０ｇは、撓み部１０ｆの身体接触面と反対側である裏面側に、平面視を縦長の略楕円形の薄板状に形成した突起部１０ｉを設け、この突起部１０ｉをスライド可能に保持する縦長状の長孔部１０ｈを、撓み部１０ｅ上の対応する位置に設けて、この長孔部１０ｈ側から突起部１０ｉに設けた２つの貫通孔１０ｊ（図８）にピン１０ｋを嵌め込むことによって弾性部材１０ａ、１０ｂを半固定状態に取り付けるようにしたものである。また、突起部１０ｉの長孔部１０ｈに対する初期位置を、長孔部１０ｈの下端部側に配置させるようにして、荷重がかけられた際に、突起部１０ｉを長孔部１０ｈ内を上方へスライド移動可能にして、それぞれ突起部１０ｉ、長孔部１０ｈに伴なって弾性部材１０ｂ、１０ａの撓み部１０ｆ、１０ｅを撓ませるようにしている。また、このピン１０ｋは、頭部１０ｋ１と、その下方に設けた平面視略四角形状の軸部１０ｋ２とからなる弾性を有する合成樹脂製のもので、この軸部１０ｋ２の側端部の押圧力によって突起部１０ｉの貫通孔１０ｊに留め得るものである。このピン１０ｋを、長孔部１０ｈから貫通孔１０ｊに嵌め込んで、さらにピン１０ｋの頭部の周縁部を長孔部１０ｈの周縁部分に設けた段差部１０ｉ１に当てがうようにして、突起部１０ｉを長孔部１０ｈ内でスライドできるようにしている。このようなピン１０ｋを用いることによって、ボルトやナットを使うことなく、手で嵌めこむだけで弾性部材１０ａ、１０ｂ同士を反固定状態に保つことができる。
【００２６】
このように構成した２つの弾性部材１０ａ、１０ｂの撓み部１０ｃと撓み部１０ｄとを重ね合わせた状態で背もたれ部５に荷重をかける場合について述べる。
【００２７】
まず、撓み部１０ｃと撓み部１０ｄとは、張り部材８に荷重がかけられていない場合に、側面視でほぼ一直線を描くように重なっている（図９の（ａ））。この状態において、規制手段ｇたる突起部１０ｉと長孔部１０ｈとは、突起部１０ｉが長孔部１０ｈの下端側に位置している。そして着座者がもたれるなどして張り部材８に荷重がかけられた場合は、同図（ｂ）に示すように、弾性部材１０ｂの撓み部１０ｆの自由端１０ｆ１が、対向する弾性部材１０ａの撓み部１０ｅの自由端１０ｅ１側を後方に押圧して、これによって、突起部１０ｉは長孔部１０ｉ内を相対的に上方へスライド移動し、また長孔部ｉは突起部１０ｉに対して相対的に下方へ移動して、撓み部１０ｃと撓み部１０ｄとが、重なりを保ったまま撓むようになる。すなわち、弾性部材１０ａ、１０ｂとが撓んだ場合においても、上下の弾性部材１０ａ、１０ｂが一体として段差のない撓み曲線を形成するようにしている。以上のように、弾性部材１０ａ、１０ｂを薄板状に構成し、かつ突起部１０ｉを長孔部１０ｈ内でスライド移動するのようにしているので、弾性部材１０ａ、１０ｂの撓み部１０ｃと１０ｄとは、幅方向へずれることがない。また、背もたれ上部フレーム５５のみを後傾させた場合であっても、この弾性部材１０ｂの自由端が対向する弾性部材１０ａの自由端を後方に押圧して、上下の弾性部材１０ａ、１０ｂが一体として段差のない撓み曲線を形成するようにしている。また、この張り部材８の伸縮および弾性部材１０ａ、１０ｂの戻り反力によって、背もたれ上部フレーム５５のみを後傾させた場合に、その伸縮力および戻り反力によって背もたれ上部フレーム５５を前方に戻すようにしている。
【００２８】
以上述べたように、本実施の形態の椅子１は、張り部材８における身体接触面の裏側に、この張り部材８とともに荷重作用方向に撓む弾性部材１０ａと１０ｂの自由端１０ｆ１、１０ｅ１をオーバーラップさせるように取り付けるとともに、その弾性部材１０ａ、１０ｂの幅方向のずれを規制する規制手段１０ｇを設けたので、着座時の張り部材８と弾性部材１０ａ、１０ｂの撓みによって生ずる弾性部材１０ａ、１０ｂの縦長方向における摺り動きを許容するとともに、弾性部材１０ａ、１０ｂの幅方向のずれを防止することができる。すなわち、弾性部材１０ａ、１０ｂの重なりが外れて張り部材８の内側から弾性部材１０ａ、１０ｂの自由端が突出しないようにできる。そして、この弾性部材１０ａ、１０ｂを湾曲部に沿って待避空間Ｓ側に撓ませることによって背もたれ部分にクッション性を持たせるようにし、さらに、この弾性部材１０ｂの自由端を弾性部材１０ａの上にオーバーラップさせることによって、背もたれ上部フレーム５５のみを後傾させた場合であっても、この弾性部材１０ｂの自由端が対向する弾性部材１０ａの自由端を後方に押圧して、上下の弾性部材１０ａ、１０ｂが一体として段差のない撓み曲線を形成するようにしている。また、この張り部材９の伸縮および弾性部材１０ａ、１０ｂの戻り反力によって、背もたれ上部フレーム５５のみを後傾させた場合に、その伸縮力および戻り反力によって背もたれ上部フレーム５５を前方に戻すようにしている。
【００２９】
また、規制手段１０ｇを、弾性部材１０ａの撓み部１０ｅ自由端に設けた長孔部１０ｈと、他方の弾性部材１０ｂの撓み部１０ｆの自由端に設けた突起部１０ｉと、さらこの突起部１０ｉに設けた貫通孔１０ｊに長孔部１０ｈから嵌め合わせるピン１０ｋとから構成し、突起部１０ｉを長孔部１０ｈ内で摺り動くようにしたので、簡素な構成で、２つの弾性部材１０ａ、１０ｂの荷重作用方向の摺り動きと幅方向のずれを防止することを実現できる。
【００３０】
また、突起部１０ｉを長孔部１０ｈに沿うような正面視縦長の略楕円形の板状に構成したので、幅方向へのずれをより生じにくくすることができる。
【００３１】
また長孔部１０ｈを重なり合った弾性部材１０ａ、１０ｂうち下側に位置する１０ｂに設けたので、凹部を作らず滑らかな身体接触面を形成することができる。
【００３２】
なお、本発明は以上述べたような実施の形態に限られない。
【００３３】
たとえば、本実施の形態では、弾性部材１０ａ、１０ｂを縦方向に設け、規制手段１０ｇを、この弾性部材１０ａ、１０ｂを幅方向にずれるのを規制するものに構成したが、弾性部材を背もたれ上部フレーム５５の背仕桿５５ｂに水平方向に対向するように取り付け、その自由端を重ね合わせた部分に縦方向のずれを規制する規制手段を設けることも考えられる。
【００３４】
また、その他の構成も本発明の趣旨を逸脱しない範囲で種々変形が可能である。
【００３５】
【発明の効果】
以上に詳述した、本発明は、身体との接触部分に張り部材を取り付けて構成した椅子において、張り部材の裏側に、張り部材とともに荷重作用方向に撓むように片持ちの弾性部材を対向させて複数設け、これらの対向する弾性部材の自由端を重ねて位置させるとともに、これら弾性部材同士の幅方向の位置ずれを禁止する規制手段を設けたものである。このように構成すれば、自由端側を重ねて張り部材を連続的にバックアップして身体接触面を滑らかにすることができるとともに、自由端同士の重なりが外れるのを防止して、この張り部材の滑らかな面を崩さないようにすることができる。
【図面の簡単な説明】
【図１】本発明の一実施の形態を示す椅子の側面図。
【図２】同実施の形態における正面図。
【図３】同実施の形態における要部の背面図。
【図４】同実施の形態におけるロック機構を示す概観図。
【図５】同実施の形態における椅子の背もたれ上部のみおよび背もたれ下部のみを傾斜させた図。
【図６】同実施の形態における椅子のロッキング動作を示した図。
【図７】同実施の形態における弾性部材の要部の概観斜視図。
【図８】図７における弾性部材を重ね合わせた場合のＡ−Ａ断面図。
【図９】同実施の形態における弾性部材に荷重がかけられた場合を示す要部断面図。
【符号の説明】
１・・・椅子
８・・・張り部材
１０ａ・・・弾性部材
１０ｂ・・・弾性部材
１０ｅ１・・・自由端
１０ｆ１・・・自由端
１０ｇ・・・規制手段
１０ｈ・・・長孔（長孔部）
１０ｉ・・・突起部
【図１】
0004626929.tif 000002
【図２】
0004626929.tif 000003
【図３】
0004626929.tif 000004
【図４】
0004626929.tif 000005
【図５】
0004626929.tif 000006
【図６】
0004626929.tif 000007
【図７】
0004626929.tif 000008
【図８】
0004626929.tif 000009
【図９】
0004626929.tif 000010